(57)【要約】【課題】作業管理と照明灯管理とを一体的に管理し照明灯の消し忘れ、誤操作を防止する照明灯管理システムを提供する。【解決手段】サーバコンピュータ１３と端末コンピュータ１５とを備える作業照明管理装置１７と、作業照明管理装置１７と信号を送受信可能に接続する照明灯制御装置１９とで照明灯管理システム１０を構成し、作業照明管理装置１７は、作業管理と照明灯管理を一体的に行なう作業票の管理、該作業票データに基づいて照明灯３の点消灯を制御し、照明灯制御装置１９は、作業照明管理装置１０から送信される信号に基づき照明灯３を点消灯させるように制御する。【選択図】図１
2010092821.tif 000002
【特許請求の範囲】
【請求項１】
照明灯を使用する作業における作業管理と照明灯管理とを一体的に行なう照明灯管理システムであって、
少なくとも作業予定日時、作業担当者名、作業内容及び作業の開始前、作業中、中断、完了の各作業状態を入力可能でかつ、照明灯の点灯又は消灯を入力可能な作業票を管理する作業管理手段、前記作業票にデータを入力可能な入力手段、作業票データを記憶する記憶手段、データを出力可能な出力手段、入力された作業票データを前記記憶手段に記憶させると共に作業票データに基づいて照明灯の点消灯を制御する制御手段を備える作業照明管理装置と、
前記作業照明管理装置と信号を送受信可能に接続し、前記作業照明管理装置から送信される信号に基づき照明灯を点消灯させるように制御する照明灯制御装置と、
を備えることを特徴とする照明灯管理システム。
【請求項２】
前記作業照明管理装置は、サーバコンピュータとネットワーク回線を通じて通信可能に接続された端末コンピュータからなることを特徴とする請求項１に記載の照明灯管理システム。
【請求項３】
前記制御手段は、新たな作業中の作業票が入力されると、前記記憶手段に記憶する作業票のうち作業中の作業票を読み出し、新たな作業票の照明灯の点消灯データと読み出した作業票の照明灯の点消灯データとを比較し、照明灯の点消灯データが異なるときは、新たな作業中の作業票データを記憶手段に記憶させることなく入力を拒否し、前記出力手段に所定の情報を出力するように制御することを特徴とする請求項１又は請求項２に記載の照明灯管理システム。
【請求項４】
さらに照明灯の点消灯を自動又は手動で行うための切替スイッチ、手動で照明灯を点消灯させる照明灯スイッチ、警報手段及びデータを表示可能な表示装置を備える照明灯操作盤を備え、
前記照明灯操作盤は前記照明灯制御装置と接続し、
前記制御手段は、切替スイッチが手動選択されている信号を受信しているときは、作業中の作業票が入力されても該作業票データを記憶手段に記憶させることなく入力を拒否し、前記出力手段に所定の情報を表示するように制御し、作業中の作業票に基づき照明灯の点消灯を制御しているときに、切替スイッチが自動から手動に切り替わった信号を受信すると、前記照明灯操作盤の警報手段を作動させると共に、前記照明灯操作盤の表示装置に作業中の作業票の作業情報を表示するように制御することを特徴とする請求項１から３のいずれか１項に記載の照明灯管理システム。
【請求項５】
前記制御手段は、作業開始前の作業票が作成されると、該作業票に記載された作業予定日時と、前記記憶手段に記憶する作業票のうち一部でも作業予定日時が重複する作業票があるか否か検索し、一部でも作業予定日時が重複する作業票があるときは該当する作業票を読み出し、作成された作業票の照明灯の点消灯データと読み出した作業票の照明灯の点消灯データとを比較し、照明灯の点消灯データが異なるときは、前記出力手段に所定の情報を表示するように制御することを特徴とする請求項１から４のいずれか１項に記載の照明灯管理システム。
【発明の詳細な説明】
【技術分野】
【０００１】
本発明は、照明灯の点消灯を管理する照明灯管理システムに関する。
【背景技術】
【０００２】
一般的に照明灯の点消灯は、壁に取り付けられたスイッチをオン、オフさせることで行なうが、照明灯の消し忘れが多く発生し、注意が喚起されるもののなかなかなくならないのが実情である。このため予め定めたスケジュールに則り自動的に照明灯を点消灯させる照明灯制御装置、照明灯制御システムなど、照明灯の消し忘れを防止可能な照明灯制御装置、照明灯制御システムが多く提案されている。
【０００３】
例えば、建物内の照明設備の消し忘れを防止し無駄な電力の消費を抑制する照明制御システムが提案されている（例えば特許文献１参照）。この照明制御システムは、通信端末装置を備える構内交換機と照明設備の点消灯を制御する照明制御装置とコンピュータとで構成し、コンピュータに照明設備のＯＮ／ＯＦＦ情報を記憶させ、コンピュータの時計機能を利用し、所定の時間になった時点で照明設備の点消灯情報を照明制御装置に送信し、照明設備を点消灯させるものである。照明設備の点消灯を自動化することで照明設備の消し忘れを防止する。またこの照明制御システムは通信端末装置を介して、照明設備の点消灯情報を入力することで照明設備の点消灯も可能とする。
【０００４】
また予め定めたスケジュールで照明灯を点消灯させる照明灯制御装置としては、グランド、体育館など照明を入力プログラムに基づいてスケジュール運転する照明装置において、従来の照明装置は、グランド、体育館などの予約貸出しを管理する予約管理装置と分離されていたため、予約管理装置で作成された予約表に基づき、別途、照明用のプログラムを入力するために煩雑であったとして、グランド、体育館などの予約管理と照明を一体的に管理する照明装置が提案されている（例えば特許文献２参照）。
【０００５】
また仮設照明灯を点消灯させるための複数のオペレートモードを用意し、自然光照度を検出する照度計の信号により自動的に仮設照明灯を点消灯させたり、予め入力したスケジュールに従い自動的に仮設照明灯を点消灯させる、建設現場の各工事区域内で使用する仮設照明の点消灯を遠隔地から自動的に制御する仮設照明設備の監視制御システムも提案されている（例えば特許文献３参照）。
【０００６】
さらに特許文献３に記載の制御システムでは、照明灯の点灯又は消灯状態を設定変更することで、照明灯が点消灯されるので、当該設定変更に人為的ミスがあると、照明灯が誤って点消灯され、さらにその人為的ミスに気づかないとそのまま継続されるおそれがあるとして、人為的ミスによる点消灯を防止可能な照明制御システムが提案されている（例えば特許文献４参照）。この照明制御システムは、照明灯の点消灯回数を計測し、この点消灯回数を基準値と比較し、基準値を下回るときは、照明灯の点消灯操作に不慣れであると判断し、操作画面上で点消灯の変更を再度確認させ、これにより誤って照明灯が点消灯されることを防止する。
【特許文献１】特開平９−２４５９７０号公報
【特許文献２】特開平２−１７２１８５号公報
【特許文献３】特開平１１−１１１４７０号公報
【特許文献４】特開２００５−１６６２７２号公報
【発明の開示】
【発明が解決しようとする課題】
【０００７】
発電所においては、通常、現場建屋内の照明灯は消灯しており、メンテナンス工事等の現場作業が生じた場合に必要に応じて必要箇所の照明灯を点灯させる。一方、メンテナンス工事等の現場作業については、作業の効率化、作業状況の管理、情報の共有化等を目的とした作業を管理するための作業管理システムが構築されている。このように照明灯の点消灯が現場作業と密接に関連する場合には、照明灯管理を現場作業管理と一体的に管理することが照明灯の消忘れ、誤操作を防止する点から効率的かつ効果的である。特許文献２、特許文献３に記載の照明制御装置は、照明灯の点消灯を作業スケジュールに合わせて管理することは可能であるが、照明灯管理と作業管理とを一体的に管理するものではない。
【０００８】
また、現場建屋内において複数の現場作業が並行して行なわれる場合には、照明灯の点消灯の管理を十分に行なわないと、ある作業が終了した時点で別の作業が継続中であるにも係らず、照明灯が消灯される事態も当然に予想される。同一の照明灯を複数のものが、同時に使用することが想定される場合には、それに対応した照明灯管理システムが必要となるが、現在、これに十分に対応できる照明灯管理システムは開発されていない。照明灯の点消灯が現場作業と密接に関連する場合には、複数の現場作業が並行して行なわれる場合であっても、現場作業の安全を確保する点から作業中に照明灯が消灯することを確実に防止できるシステムとする必要がある。さらにこの照明灯管理システムが作業の効率化向上に繋がればより好ましい。特許文献４に記載の技術も誤操作に関するものであるが、点消灯回数に基づき点消灯を管理するものであり誤操作防止に必ずしも十分とは言えない。
【０００９】
本発明の目的は、作業管理と照明灯管理とを一体的に管理し照明灯の消し忘れ、誤操作を防止する照明灯管理システムを提供することである。
【課題を解決するための手段】
【００１０】
請求項１に記載の本発明は、照明灯を使用する作業における作業管理と照明灯管理とを一体的に行なう照明灯管理システムであって、少なくとも作業予定日時、作業担当者名、作業内容及び作業の開始前、作業中、中断、完了の各作業状態を入力可能でかつ、照明灯の点灯又は消灯を入力可能な作業票を管理する作業管理手段、前記作業票にデータを入力可能な入力手段、作業票データを記憶する記憶手段、データを出力可能な出力手段、入力された作業票データを前記記憶手段に記憶させると共に作業票データに基づいて照明灯の点消灯を制御する制御手段を備える作業照明管理装置と、前記作業照明管理装置と信号を送受信可能に接続し、前記作業照明管理装置から送信される信号に基づき照明灯を点消灯させるように制御する照明灯制御装置と、を備えることを特徴とする照明灯管理システムである。
【００１１】
請求項２に記載の本発明は、請求項１に記載の照明灯管理システムにおいて、前記作業照明管理装置は、サーバコンピュータとネットワーク回線を通じて通信可能に接続された端末コンピュータからなることを特徴とする。
【００１２】
請求項３に記載の本発明は、請求項１又は請求項２に記載の照明灯管理システムにおいて、前記制御手段は、新たな作業中の作業票が入力されると、前記記憶手段に記憶する作業票のうち作業中の作業票を読み出し、新たな作業票の照明灯の点消灯データと読み出した作業票の照明灯の点消灯データとを比較し、照明灯の点消灯データが異なるときは、新たな作業中の作業票データを記憶手段に記憶させることなく入力を拒否し、前記出力手段に所定の情報を出力するように制御することを特徴とする。
【００１３】
請求項４に記載の本発明は、請求項１から３のいずれか１項に記載の照明灯管理システムにおいて、さらに照明灯の点消灯を自動又は手動で行うための切替スイッチ、手動で照明灯を点消灯させる照明灯スイッチ、警報手段及びデータを表示可能な表示装置を備える照明灯操作盤を備え、前記照明灯操作盤は前記照明灯制御装置と接続し、前記制御手段は、切替スイッチが手動選択されている信号を受信しているときは、作業中の作業票が入力されても該作業票データを記憶手段に記憶させることなく入力を拒否し、前記出力手段に所定の情報を表示するように制御し、作業中の作業票に基づき照明灯の点消灯を制御しているときに、切替スイッチが自動から手動に切り替わった信号を受信すると、前記照明灯操作盤の警報手段を作動させると共に、前記照明灯操作盤の表示装置に作業中の作業票の作業情報を表示するように制御することを特徴とする。
【００１４】
請求項５に記載の本発明は、請求項１から４のいずれか１項に記載の照明灯管理システムにおいて、前記制御手段は、作業開始前の作業票が作成されると、該作業票に記載された作業予定日時と、前記記憶手段に記憶する作業票のうち一部でも作業予定日時が重複する作業票があるか否か検索し、一部でも作業予定日時が重複する作業票があるときは該当する作業票を読み出し、作成された作業票の照明灯の点消灯データと読み出した作業票の照明灯の点消灯データとを比較し、照明灯の点消灯データが異なるときは、前記出力手段に所定の情報を表示するように制御することを特徴とする。
【発明の効果】
【００１５】
本発明に係る照明灯管理システムは、作業照明管理装置と、作業照明管理装置から送信される信号に基づき照明灯を点消灯させるように制御する照明灯制御装置とを備え、作業照明管理装置の制御手段は、作業管理と照明灯管理とを一体的に行なう作業票に入力された照明灯の点消灯データに基づいて照明灯の点消灯を制御するので、照明灯の消し忘れ、誤操作を確実に防止することができる。さらに作業票の情報は、作業照明管理装置の記憶手段に記憶されるので、同一の照明灯を使用する作業情報を簡単に把握することが可能となり、複数の者が照明灯を同時に使用する場合であっても誤操作を防止することができる。
【００１６】
また本発明によれば、前記作業照明管理装置をサーバコンピュータとネットワーク回線を通じて通信可能に接続された端末コンピュータとで構成することができるので、容易に照明灯管理システムを実現することが可能である。さらに情報の共有化が容易であり、複数の者が照明灯を同時に使用する場合であっても誤操作を防止することができる。
【００１７】
また本発明によれば、作業照明管理装置の制御手段は、作業中の作業票の照明灯の点消灯データと異なる照明灯の点消灯データを有する作業中の作業票が新たに入力されると、新たな作業中の作業票データを記憶手段に記憶させることなく入力を拒否し、出力手段に所定の情報を表示するように制御するので、点消灯の異なる照明操作は行なわれず、照明灯の誤操作を確実に防止することができる。作業票を入力する操作画面に、新たに入力された照明灯の点消灯データと異なる作業中の作業票情報と照明灯の点消灯データが異なる旨のメッセージとを表示することで、必要に応じて作業の調整を行なうこともできる。
【００１８】
また本発明によれば、本発明に係る照明灯管理システムは、さらに照明灯の点消灯を自動又は手動で行うための切替スイッチ及び手動で照明灯を点消灯させる照明灯スイッチを有しているので、照明灯の点消灯を手動で行なうことができる。作業照明管理装置の制御手段は、照明灯が手動選択されているときは、作業中の作業票が入力されても該作業票データを記憶手段に記憶させることなく入力を拒否するので、照明灯の誤操作を確実に防止することができる。また制御手段は、作業中の作業票に基づき照明灯の点消灯を制御しているときに、切替スイッチが自動から手動に切り替わった信号を受信すると、警報を発するように制御するので照明灯の誤操作を確実に防止することができる。
【００１９】
また本発明によれば、作業照明管理装置の制御手段は、一部でも作業予定日時が重複しかつ照明灯の点消灯データの異なる作業票が新たに作成されると出力手段に所定の情報を表示するので、作業票を入力する操作画面に、新たに入力された照明灯の点消灯データと異なり少なくとも作業予定日時の一部が重複する作業票情報を表示することで、必要に応じて作業の調整を行なうことも可能となり、事前に照明灯の誤操作を防止できると共に作業の効率化が図れる。
【発明を実施するための最良の形態】
【００２０】
図１は、本発明の第１実施形態としての照明灯管理システム１０の機器構成図である。図２はサーバコンピュータ１３のハードウエア構成図、図３は端末コンピュータ１５のハードウエア構成図である。ここでは火力発電所で使用する照明灯管理システム１０を例として説明する。
【００２１】
照明灯管理システム１０は、現場建屋１に複数の区画に区分けされ配置された照明灯３（３ａ、３ｂ、３ｃ）の点消灯と現場建屋１内で行なう作業とを一体的に管理する照明灯管理システムであり、サーバコンピュータ１３と社内ＬＡＮ１１で結ばれた複数台の端末コンピュータ１５（１５ａ、１５ｂ、１５ｃ）とからなる作業照明管理装置１７と、作業照明管理装置１７と信号を送受信可能に接続する照明灯制御装置１９、照明灯３の点消灯を自動又は手動で行うための切替スイッチ２１、手動で照明灯３を点消灯させる照明灯スイッチ２３、警報ランプ２５及びデータを表示可能な表示装置２７を備える照明灯操作盤２９を備える。
【００２２】
サーバコンピュータ１３は、公知のコンピュータと同様のハードウエア構成からなり、ＣＰＵ３１には、メモリ３３、入力装置３５、出力装置３７、記憶装置３９、記録媒体４１を読み取る記録媒体読取装置４３が接続されている。記憶装置３９は、ハードディスクからなり、プログラムを格納するためのプログラム格納部４５とデータを格納するデータ格納部４７を備え、記録媒体読取装置４３を介して入力される記録媒体４１上のプログラム、データはここに格納される。ＣＰＵ３１は、記憶装置３９からプログラムをメモリ３３上に読み出し各種制御を行う。入力装置３５は、データの入力等を行なうキーボード、マウスからなり、出力装置３７はデイスプレイである。
【００２３】
端末コンピュータ１５は、サーバコンピュータ１３と同様のハードウエア構成からなり、ＣＰＵ５１には、メモリ５３、入力装置５５、出力装置５７、記憶装置５９、記録媒体６１を読み取る記録媒体読取装置６３が接続されている。記憶装置５９もプログラムを格納するためのプログラム格納部６５とデータを格納するデータ格納部６７を備え、個々の装置はサーバコンピュータ１３と同一であるので説明を省略する。
【００２４】
サーバコンピュータ１３には、作業管理と照明灯管理とを一体的に行う作業票を管理する作業管理プログラムが作業管理システムとして、火力発電所の作業に必要な業務を支援、管理するための火力ｗｅｂシステムの一システムとしてインストールされ、記憶装置３９のプログラム格納部４５に格納されており、ＣＰＵ３１は、作業管理プログラムをメモリ３３上に読み出し、作業管理手段として機能する。従来、火力ｗｅｂシステムの一システムとして、作業管理のみを行っていた旧作業管理システムを有する場合には、新たなシステムを開発する必要がなく、従来、作業管理のみを行っていた旧作業管理システムに照明灯管理を追加するだけで、容易に本発明で使用可能な作業管理システムとすることができる。またサーバコンピュータ１３の記憶装置３９のプログラム格納部４５には、照明灯３の点消灯を制御する照明制御プログラムが格納され、ＣＰＵ３１は、照明制御プログラムをメモリ３３上に読み出し、照明制御手段として機能する。
【００２５】
作業照明管理装置１７は、上記サーバコンピュータ１３と社内ＬＡＮ１１で結ばれた複数台の端末コンピュータ１５（５ａ、５ｂ、５ｃ）とで構成され、作業管理と照明灯管理とを一体的に行う作業管理システムから作業票が入力されると、照明制御プログラムに基づき、図示を省略した入出力インターフェースを介して照明灯３を点消灯させるための制御信号を照明灯制御装置１９に送信する。照明灯の点消灯制御要領の詳細は後述する。
【００２６】
照明灯操作盤２９は、作業照明管理装置１７と信号を送受信可能に接続する照明灯制御装置１９、照明灯３の点消灯を自動又は手動で行うための切替スイッチ２１、手動で照明灯３を点消灯させる照明灯スイッチ２３、警報ランプ２５及びデータを表示可能な表示装置２７を備え、必要に応じて手動で照明灯３を点消灯させることができる。
【００２７】
照明灯制御装置１９は、作業照明管理装置１７と信号を送受信可能に接続し、作業照明管理装置１７からの信号を受信し、図示を省略した照明灯３の開閉器を開閉させ照明灯３を点消灯させる。また作業照明管理装置１７から送信されるデータを受信し、これらを表示装置２７に表示させると共に作業照明管理装置１７から送信される信号を受信し警報ランプ２５を作動させるように制御する。また、照明灯制御装置１９は、切替スイッチ２１が手動に選択されると、当該信号を作業照明管理装置１７に送信する。このような照明灯制御装置１９は、コンピュータ、プログラマブルロジックコントローラなどを用いて実現することができる。
【００２８】
切替スイッチ２１は、照明灯３を作業照明管理装置１７からの点消灯制御信号により自動制御する場合に選択する自動モードと、照明灯３を照明灯スイッチ２３を用いて点消灯させる手動モードを選択可能とする。よって、照明灯３の球切れが発生し、照明灯３のランプを取替えるような場合には、切替スイッチ２１を手動選択とすることで安全に作業を行なうことができる。
【００２９】
警報ランプ２５は、所定の条件下で発信される作業照明管理装置１７からの信号に基づき作動し、発電所のオペレータに注意を喚起する。また表示装置２７はディスプレイモニタであり、所定の条件下で発信される作業照明管理装置１７からのデータに基づき、作業票に記載された作業情報等を表示する。
【００３０】
以上からなる照明灯管理システム１０は、基本的には、作業照明管理装置１７が入力された作業票のデータに基づき、照明灯３の点消灯を制御するための制御信号を照明灯制御装置１９に送信し、照明灯制御装置１９が照明灯３の開閉器を開閉させ照明灯３を点消灯させる。
【００３１】
次に作業票を管理する作業管理システムについて説明する。作業管理システムは、作業を管理すると共に作業に必要な照明灯３の照明管理を一体的に行なう作業票を管理するためのものであって、火力ｗｅｂシステムの一システムとしてサーバコンピュータ１３にインストールされ、作業票を作成して発行する機能、作業票を受付ける機能、作業の実行中を示し照明灯３を点灯させる「作業中」、作業の中断中を示し照明灯３を消灯させる「中断」及び作業の完了を示す「完了」の各作業状態を選択可能な機能を有する。作成された作業票７０の一例を図４に、作業管理システムの作業票入力画面７１の一例を図５に示す。
【００３２】
作業票７０は、メンテナンス作業などの作業を管理するための各データを入力可能に構成され、作業管理システムを実行するとこれに基づき作業が管理される。例えば、メンテナンス作業などにおいて、他系統との縁切りが必要な場合には、バルブ操作を禁止するための操作禁止札が発行され、また作業が完了するとこれに基づき作業に要した費用の精算などが行われる。このため作業票には、作業予定日時を入力する作業予定日時入力欄７２、発行箇所を入力する発行箇所入力欄７３、作業担当者である工事監督者名を入力する工事監督者名入力欄７４、作業内容を入力する作業内容入力欄７６などが設けられている。さらに作業票７０は、作業に必要な照明灯３の点消灯を管理するための照明灯テーブル７８を有し、照明灯テーブル７８は各照明灯３を点灯、消灯させるための「入り」、「切り」、「指定なし」を選択可能なドロップダウンメニュー８０を備える。これにより作業に必要な照明灯３のみを点灯させるように選択することができる。例えば、２号電動機グリス補充の作業を行う場合には、２号電動機が位置する２号照明灯タービン室の照明灯を「入り」とし、他の照明灯を「切り」とすればよい。作業において照明灯３を全く必要としないときは、「指定なし」を選択すればよい。「指定なし」は、照明灯の点消灯に全く関与しない。
【００３３】
作業管理システムの作業票入力画面７１には、作業欄８２が設けられ、この作業欄８２は、作業票の「発行」、「受付」、「作業中」、「中断」、「完了」を選択するためのドロップダウンメニューとなっている。作業票の「発行」は、作業担当者等が作業票７０を作成し発行するときに使用し、「受付」は、発行された作業票に基づき、作業管理システムに作業票データを入力するときに使用する。「作業中」は、作業を行なっているときに使用する。「中断」は、作業を中断するときに使用し、「完了」は、完全に作業が終了したときに使用する。例えば、作業完了までに数日間を要する場合であって、朝から夕方までの作業を数日間行なう場合には、作業当日の朝、作業票の作業欄８２に「作業中」が入力され、その日の作業が終了した時点で作業票の作業欄８２に「中断」が入力される。「完了」は数日間に及ぶ最後の作業終了時に入力される。
【００３４】
以下、照明灯管理システム１０の使用方法、照明灯管理システム１０の照明灯３の制御要領の一例を示す。
工事（作業）担当者は、端末コンピュータ１５ｃからサーバコンピュータ１３の作業管理システムにアクセスし、作業票７０を作成、発行する。この作業票７０は、関係者の承認を経た後、中央制御室のオペレータに渡り、オペレータは、端末コンピュータ１５ａからサーバコンピュータ１３の作業管理システムにアクセスし、発行された作業票７０の情報を作業管理システムに入力する。こられ作業は遅くとも作業開始前までに行われ、通常前日までに作業票７０の受付が完了している。
【００３５】
図６は、照明灯管理システム１０の照明灯３の一の制御要領を示すフローチャートである。ここでは、前日までにＡ、Ｂ二つの作業票の受付が完了しているものとし、Ａ作業票では、２号照明灯のタービン室照明灯のみ「入り」が選択され、他の照明灯は全て「切り」が選択されているものとする。Ａ作業の開始当日、Ａ作業担当者の依頼により中央制御室オペレータが、Ａ作業の作業票を実行させるべく、端末コンピュータ１５ａからサーバコンピュータ１３にアクセスし、作業管理システムにＡ作業票のＮｏを入力し（ステップＳ１）、サーバコンピュータ１３からＡ作業票情報を呼び出す（ステップＳ２）。中央制御室オペレータは、作業管理システムの作業票入力画面７１の作業欄８２を「作業中」とし、「実行」ボタン８３をクリックする（ステップＳ３）。
【００３６】
サーバコンピュータ１３は、Ａ作業票の「作業中」の信号を受信すると、照明灯制御装置１９から送信される信号から切替スイッチ２１が「自動」か「手動」かを判断し（ステップＳ４）、切替スイッチ２１が手動選択されていると判断すると、Ａ作業票の作業欄の「作業中」の入力信号を拒否し、メッセージ１を端末コンピュータ１５ａに送信する（スッテプＳ５）。端末コンピュータ１５ａは、作業管理システムの作業票入力画面７１上にサーバコンピュータ１３から送信されるメッセージ１「切替スイッチが手動に選択されています。」を表示する（スッテップＳ６）。切替スイッチ２１が手動に選択されている場合には、手動が自動に優先し、Ａ作業票の「作業中」は受付けられず、端末コンピュータ１５ａの作業管理システムの作業票入力画面７１は、Ａ作業票の「作業中」入力前と同じ状態となる。
【００３７】
一方、サーバコンピュータ１３は、切替スイッチ２１が「手動」ではないと判断すると（ステップＳ４）、記憶装置３９のデータ格納部４７から作業票データを読み出し、「作業中」が実行されている他の作業票があるか否か検索する（ステップＳ７）。本ケースでは、Ｂ作業票の作業欄８２が「作業中」であるか否かを調べる。Ｂ作業票の作業欄８２が「作業中」であると判断すると、Ａ作業票の照明灯の「入り」、「切り」とＢ作業票の照明灯の「入り」、「切り」とが一致するか否か判断する（ステップＳ８）。本ケースにおいては、Ｂ作業票において、２号照明灯のタービン室照明灯のみ「入り」が選択され、他の照明灯は全て「切り」が選択されていれば、Ａ作業票の照明灯の「入り」、「切り」とＢ作業票の照明灯の「入り」、「切り」とが一致し、そうでなければＡ作業票の照明灯の「入り」、「切り」とＢ作業票の照明灯の「入り」、「切り」とが不一致となる。
【００３８】
Ａ作業票の照明灯の「入り」、「切り」とＢ作業票の照明灯の「入り」、「切り」とが一致しないと判断すると、Ａ作業票の作業欄８２の「作業中」の入力信号を拒否し、メッセージ２及びＢ作業票の作業票情報を端末コンピュータ１５ａに送信する（スッテプＳ９）。端末コンピュータ１５ａは、作業管理システムの作業票入力画面７１上にサーバコンピュータ１３から送信されるメッセージ２及び作業票情報「この作業票は作業票Ｎｏ○○○  ○○工事と逆操作があります。」を表示する。このとき作業票入力画面７１上に表示される作業票Ｎｏ○○○をクリックするとさらに詳細な情報を表示させるようにしてもよい（ステップＳ６）。Ａ作業票の照明灯の「入り」、「切り」とＢ作業票の照明灯の「入り」、「切り」とが一致しないことは、二つ作業で照明灯の点消灯が逆となることを意味する。この場合は先に作業を実施しているＢ作業票の照明灯の点消灯状態を優先しその状態を維持させる。一方、Ａ作業票の工事担当者は、作業管理システムの作業票入力画面７１上に表示される情報から、必要に応じてＢ作業票の工事担当者と調整することもできる。
【００３９】
一方、サーバコンピュータ１３は、「作業中」が実行されている他の作業票がないか又は、「作業中」が実行されている他の作業票があても、作業票の照明灯の「入り」、「切り」が一致すると判断すると、Ａ作業票の「作業中」入力を確定し、サーバコンピュータ１３の記憶装置３９のデータ格納部４７に、Ａ作業票の情報を「受付」から「作業中」に変更し保存する（ステップＳ１０）。その後、サーバコンピュータ１３は、照明灯制御装置１９にＡ作業票の照明灯の点消灯データを送信する（ステップＳ１１）。
【００４０】
図７は、照明灯管理システム１０の照明灯３の他の制御要領を示すフローチャートである。ここでは、照明灯の点消灯が一致するＡ、Ｂ二つの作業票が「作業中」を実行中であるとする。その日のＡ作業が終了し、その日の作業を終了すべく、端末コンピュータ１５ａからサーバコンピュータ１３にアクセスし、作業管理システムにＡ作業票のＮｏを入力し（ステップＳ２１）、サーバコンピュータ１３からＡ作業票情報を呼び出す（ステップＳ２２）。中央制御室オペレータは、作業管理システムの作業票入力画面７１の作業欄８２を「中断」とし、「実行」ボタン８３をクリックする（ステップＳ２３）。
【００４１】
サーバコンピュータ１３は、記憶装置３９のデータ格納部４７から作業票データを読み出し、「作業中」が実行されている他の作業票があるか否か検索する（ステップＳ２４）。本ケースでは、Ｂ作業票の作業欄８２が「作業中」であるか否かを調べる。Ｂ作業票の作業欄８２が「作業中」であると判断すると、Ｂ作業票の照明灯のうち「入り」が選択されている照明灯とＡ作業票の照明灯のうち「入り」が選択されている照明灯とが同じか否か判断する（ステップＳ２５）。同一と判断すると、Ａ作業票の照明灯のうち「入り」が選択されている照明灯を消灯させる信号を照明灯制御装置１９に送信することなく、Ａ作業票の「中断」入力を確定し、サーバコンピュータ１３の記憶装置３９のデータ格納部４７に、Ａ作業票の情報を「作業中」から「中断」に変更し保存する（ステップＳ２７）。
【００４２】
一方、サーバコンピュータ１３は、「作業中」実行されている作業票がないか、「作業中」実行されている作業票があっても、本ケースではＢ作業票の照明灯の「入り」が選択されている照明灯と、Ａ作業票の照明灯のうち「入り」が選択されている照明灯とが異なると判断すると、Ａ作業票の「入り」の照明灯を消灯させる信号を照明灯制御装置１９に送信する（ステップＳ２６）。例えば、Ａ作業票において、２号照明灯のタービン室照明灯のみ「入り」が選択されとし、Ｂ作業票においても２号照明灯のタービン室照明灯が「入り」であるときは、Ｂ作業票はまだ「作業中」であり、２号照明灯のタービン室で作業が行われている。このような状況下で、その日のＡ作業が終了したとしても２号照明灯のタービン室の照明灯は点灯させておく必要があるため、上記のように制御する。一方、Ｂ作業票はまだ「作業中」であっても、照明灯の「入り」が選択されている照明灯が２号照明灯のボイラであれば、２号照明灯のタービン室の照明を消灯させてもＢ作業に支障を来たさないので、上記のように制御する。これらにより同じ照明灯を使用する作業が混在する場合には、その日の全ての作業が終了した時点で照明灯が消灯される。
【００４３】
図８は、照明灯管理システム１０の照明灯３のさらに他の制御要領を示すフローチャートである。照明灯操作盤２９の切替スイッチ２１が自動から手動に変更選択されると（ステップＳ３１）、照明灯制御装置１９は、切替スイッチ２１が手動選択された信号をサーバコンピュータ１３に送信する（ステップＳ３２）。サーバコンピュータ１３は、切替スイッチ２１が手動選択された信号を受信すると、記憶装置３９のデータ格納部４７から既に入力された作業票データを読み出し、「作業中」が実行されている作業票があるか否か検索する（ステップＳ３３）。検索の結果、「作業中」が実行されている作業票がないと判断すると、照明灯の点消灯を手動で操作しても問題を生じないので、サーバコンピュータ１３は、以降の操作、判断を行わない。一方、検索の結果、「作業中」が実行されている作業票があると判断すると（ステップＳ３３）、照明灯制御装置１９に「作業中」が実行されている作業票の作業情報を送信する（ステップＳ３４）。照明灯制御装置１９は、サーバコンピュータ１３からの信号に基づき、照明灯操作盤２９の警報ランプ２５を点滅させると共に、表示装置２７に作業票Ｎｏ、作業工事名、担当者名等を表示する（スッテップＳ３５）。
【００４４】
その後、「作業中」が実行されている作業票が「中断」に変更されると（ステップＳ３６）、サーバコンピュータ１３は、リセット信号を照明灯制御装置１９に送信し（ステップＳ３７）、照明灯制御装置１９は警報ランプ２５を消灯させると共に表示装置２７の作業票情報を消滅させるように制御する（ステップ３８）。これにより照明灯スイッチ２３が操作可能となる（ステップＳ３９）。
【００４５】
上記のように照明灯管理システム１０が自動でかつ「作業中」の作業票に基づき、照明灯の点消灯を管理しているときは、照明灯の手動操作を受付ないように制御するので、作業中に誤って照明灯３が消灯することはない。一方、照明灯３を手動操作したい者は、表示装置２７に表示される作業情報から、当該作業を行なっている担当者が分かるので、必要に応じて作業中の作業を中断してもらうこともできる。
【００４６】
図９は、照明灯管理システム１０の作業管理システムで作業票７０を発行するときの制御要領を示すフローチャートである。工事担当者は、端末コンピュータ１５ｃからサーバコンピュータ１３の作業管理システムにアクセスし、作業票７０を作成し、「発行」を実行する（ステップＳ５０）。サーバコンピュータ１３は、この作業票７０の「発行」が実行された信号を受信すると、記憶装置３９のデータ格納部４７から既に入力された作業票データを読み出し、作業予定日時が一部でも重複する作業票があるか検索し、作業予定日時が一部でも重複する作業票があると判断すると（ステップＳ５１）、照明灯の「入り」「切り」が一致するか否かを比較し異なると判断すると（ステップＳ５２）、抵触する作業票の作業情報を作業票入力画面７１に表示する（ステップＳ５３）。これにより作業票７０を作成した者は、照明灯の点消灯が異なる作業が存在することが分かるので、必要に応じて事前に作業の調整をすることができる。
【００４７】
上記の通り本発明に係る照明灯管理システム１０を用いることで、作業管理と照明灯管理とを一体的に管理し照明灯の消し忘れ、誤操作を防止するができる。なお上記実施形態では、サーバコンピュータ１３に作業管理プログラム及び照明制御プログラムを格納し、作業管理、照明灯制御をサーバコンピュータ１３に行なわせ、端末コンピュータ１５は入力手段、出力手段として使用する例を示したけれども、各端末コンピュータ１５に作業管理プログラム及び照明制御プログラムを格納し、各端末コンピュータ１５に作業管理、照明灯制御を行なわせ、作業票データをサーバコンピュータ１３で管理させるようにしてもよい。さらにサーバコンピュータ１３と端末コンピュータ１５との間に更にサーバコンピュータを配置した３層クライアントサーバシステムとし、二つのサーバコンピュータにそれぞれ作業管理、照明灯制御、データ管理を行なわせてもよい。またサーバコンピュータ１３と端末コンピュータ１５を同等に位置付けるピアツーピアシステムとしてよい。さらに一台のコンピュータで作業照明管理装置１７を構成してもよい。また、作業管理と照明灯管理とを一体的に行なう作業票７０、作業管理システムも上記実施形態に示すものに限定されないことは言うまでもない。
【図面の簡単な説明】
【００４８】
【図１】本発明の第１実施形態としての照明灯管理システム１０の機器構成図である。
【図２】図１のサーバコンピュータ１３のハードウエア構成図である。
【図３】図１の端末コンピュータ１５のハードウエア構成図である。
【図４】本発明の第１実施形態としての照明灯管理システム１０で使用する作業票の一例である。
【図５】本発明の第１実施形態としての照明灯管理システム１０で使用する作業管理システムの作業票入力画面７１である。
【図６】図１に示す照明灯管理システム１０の照明灯３の一の制御要領を示すフローチャートである。
【図７】図１に示す照明灯管理システム１０の照明灯３の他の制御要領を示すフローチャートである。
【図８】図１に示す照明灯管理システム１０の照明灯３のさらに他の制御要領を示すフローチャートである。
【図９】図１に示す照明灯管理システム１０の作業管理システムで作業票７０を作成するときの制御要領を示すフローチャートである。
【符号の説明】
【００４９】
１  現場建屋
３  照明灯
１０  照明灯管理システム
１１  社内ＬＡＮ
１３  サーバコンピュータ
１５  端末コンピュータ
１７  作業照明管理装置
１９  照明灯制御装置
２１  切替スイッチ
２３  点消灯スイッチ
２５  警報ランプ
２７  表示装置
２９  照明灯操作盤
３１  ＣＰＵ
３３  メモリ
３５  入力装置
３７  出力装置
３９  記憶装置
４１  記録媒体
４３  記録媒体読取装置
５１  ＣＰＵ
５３  メモリ
５５  入力装置
５７  出力装置
５９  記憶装置
６１  記録媒体
６３  記録媒体読取装置
７０  作業票
７１  作業票入力画面
７２  作業予定日時入力欄
７３  発行箇所入力欄
７４  工事監督者名入力欄
７６  作業内容入力欄
７８  照明灯テーブル
８０  ドロップダウンメニュー
８２  作業欄
８３  「実行」ボタン
【図１】
2010092821.tif 000003
【図２】
2010092821.tif 000004
【図３】
2010092821.tif 000005
【図４】
2010092821.tif 000006
【図５】
2010092821.tif 000007
【図６】
2010092821.tif 000008
【図７】
2010092821.tif 000009
【図８】
2010092821.tif 000010
【図９】
2010092821.tif 000011